(57)【要約】【課題】除電手段の断線検知を行うのに特別な回路を設ける必要がない画像形成装置とする。【解決手段】用紙の先端が転写位置に達する時点から像担持体１上の帯電器２に対応する位置が転写位置に到達するまでの時間分を溯った時点を基点Ａとし、基点Ａ以降に帯電器２の動作を所定時間停止して印字処理を行う。【選択図】図３
2004133188.tif 000002
【特許請求の範囲】
【請求項１】
像担持体と、像担持体の表面を一様に帯電する帯電手段と、像担持体にトナー像を現像する現像手段と、像担時体に現像されたトナー像を用紙に転写する転写手段と、像担持体の電荷を除電する除電手段と、用紙を転写位置まで搬送する搬送手段と、該搬送手段により搬送される用紙の搬送位置によって帯電手段、現像手段、転写手段、および除電手段の動作を制御して印字処理を行う制御手段と、を備えてなる画像形成装置において、
用紙の先端が転写位置に達する時点から前記像担持体上の前記帯電手段に対応する位置が前記転写位置に到達するまでの時間分を溯った時点を基点とし、該基点以降に前記帯電手段の動作を所定時間停止して印字処理を行うことを特徴とする画像形成装置。
【請求項２】
前記基点以降のいずれかの時間から前記基点から前記像担持体が１周するまでの時間を所定時間とすることを特徴とする請求項１記載の画像形成装置。
【発明の詳細な説明】
【０００１】
【発明の属する技術分野】
本発明は、電子写真方式を用いた画像形成装置に関し、特に、除電手段が正常に動作しているか否かを判別する機能を有する画像形成装置に関するものである。提供する。なお、本発明の画像形成装置としては、複写機、プリンタ（ＬＥＤプリンタ、レーザビームプリンタ、プリンタ等）、あるいはファクシミリ等、およびそれらのカラー装置が含まれる。
【０００２】
【従来の技術】
従来の電子写真方式を用いた画像形成装置は、例えば特許文献１に示すように、像担持体となる電子写真感光体およびこの電子写真感光体に作用するプロセス手段（帯電、露光、現像、転写、除電、定着等）を有し、これらのプロセス手段を用いて電子写真感光体から用紙への転写を繰り返すことによって印字処理を行なっている。
【０００３】
【特許文献１】
特許第３２６１０２７号公報
【０００４】
これらの一連のプロセス手段において、その中の１つにでも故障や不具合等の異常があると当然のことながら十分な印字品質は得られないために、従来からプロセス手段の異常を検知する様々な方法が知られている。例えば、除電手段の異常検知を行う場合に、従来から除電手段に流れ込む電流値を検知し、電流値が少ない時に断線と判断する方法がある。
【０００５】
【発明が解決しようとする課題】
ところが、従来のように除電手段に流れ込む電流値を検知する場合、その電流値を検知するための専用の回路が必要となり、部品点数が増え、コストアップにもなってしまうという問題があった。
【０００６】
【課題を解決するための手段】
本発明は、上記問題に鑑みてなされたものであり、像担持体と、像担持体の表面を一様に帯電する帯電手段と、像担持体にトナー像を現像する現像手段と、像担時体に現像されたトナー像を用紙に転写する転写手段と、像担持体の電荷を除電する除電手段と、用紙を転写位置まで搬送する搬送手段と、該搬送手段により搬送される用紙の搬送位置によって帯電手段、現像手段、転写手段、および除電手段の動作を制御して印字処理を行う制御手段と、を備えてなる画像形成装置において、用紙の先端が転写位置に達する時点から前記像担持体上の前記帯電手段に対応する位置が前記転写位置に到達するまでの時間分を溯った時点を基点とし、該基点以降に前記帯電手段の動作を所定時間停止して印字処理を行う画像形成装置としたものである。
【０００７】
このような構成により、テスト印字として上述の印字処理を行うことで、前記除電手段の動作確認をテスト印字された用紙を目視することで行うことができるようになる。
【０００８】
【発明の実施形態】
以下に図面を用いて本発明を詳細に説明する。
図１は、本発明が適用される画像形成装置の一実施例を示し、図上時計回りに回転する像担持体（感光体ドラム）１の周囲に、その回転方向に沿って帯電器２、現像器４、転写ローラ５、クリーニング器６、及び除電器７が配設されている。
【０００９】
現像器４には、現像ローラ４１が配設され、現像ローラ４１の表面は像担持体１の表面と所定間隔離間している。そして、現像器４は不図示のトナーコンテナから適宜所定量のトナーが供給可能に構成されている。
【００１０】
像担持体１の上部には像担持体１の表面に画像のドットを形成する光学伝送機構３が設けられ、光学伝送機構３は図示しないレーザ光源からのレーザ光をポリゴンミラー、反射ミラーを介して帯電器２と現像ローラ４１との間の像担持体１表面に画像ドットを結像する光学系として構成している。
【００１１】
また、特許文献２と同様に、画像形成装置の下部には、後述する装置全体を制御する制御回路が収納される基部が設けられ、基部の上側には給紙カセットが外部から着脱可能に配置され、給紙カセットには転写前の用紙が載置され、制御回路の指令により適宜載置された用紙を用紙先端検知手段８およびレジストローラ９まで搬送可能に構成されている。また、転写ローラ５の搬送方向下流側には、定着手段があり、像担持体１と転写ローラ５の間を通過した用紙Ｐは定着手段により定着される。そして、定着後の用紙は、搬送ローラにより装置外に排紙される。
【００１２】
【特許文献２】
特開平１０−２５４２３１号公報
【００１３】
次に、具体的な構成およびプロセス条件について説明すると、像担持体１は、電荷発生材と電子輸送材および正孔輸送材を樹脂バインダー中に分散させた感光層を略φ３０のアルミ管に塗工してなる分散型の単層感光体ドラムとし、図上時計周りに線速略９３ｍｍ／ｓで回転させる。帯電器２は、スコロトロン帯電器とし、４４０Ｖに一様に帯電させる。光学伝送機構３は、レーザ光ユニットとし、波長７８０ｎｍ、光量１．０μＪ／ｃｍ２のレーザ光を照射し静電潜像を形成する。
【００１４】
また、現像ローラ４１を磁石体を内包したアルミスリーブとし、アルミスリーブ上へＤＣ３３０Ｖに振幅１．６５ｋＶ、周波数２．４ｋＨｚ、ＤＵＴＹ比５０％の矩形波を重畳した現像バイアスを印加して静電潜像へ現像する。このときのドラムとアルミスリーブのギャップは０．３ｍｍとした。
【００１５】
像担持体１上に現像されたトナーは、−８００Ｖ〜１２００ＶＤＣを印加した転写ローラ５によって用紙に転写される。このとき転写されずに像担持体１上に残った残留トナーは、クリーニング器６の像担持体１に圧接したゴムブレード６１によってクリーニングされる。ゴムブレード６１は、硬度６５°のウレタンゴムを用い、厚み、自由端、くいこみ量を調整して、像担持体１に対する圧接力が１７ｇ／ｃｍとなるように調整した。
【００１６】
次に、制御回路の構成について説明する。
図２は、プロセスタイミングを決定するための制御回路を示す。エンジン制御装置１１がコントローラ１０からプリント信号を受けると、駆動・給紙手段１２を介して駆動及び給紙を開始する。また、このとき略同時期に高圧発生手段１４を介して帯電器２に所定の電圧を印加すると共に除電器７をオンにする。次に、用紙先端検知手段８が用紙の先端を検知すると、所定の時間を計測し、高圧発生手段１４を介して画像形成手段１５に所定の電圧を随時印加する。なお、画像形成手段１５は、像担持体１やプロセス手段など、印字処理する際に動作させる手段を示すものとする。なお、本実施例は、用紙先端検知手段８により用紙先端の検知を行ったが、給紙動作からの時間経過カウントによりソフト的に用紙先端の到達を判断するようにしてもよい。
【００１７】
図３は、本発明の画像形成装置の画像形成手段１５におけるそれぞれのタイミングを示すものである。通常印字時は、実線で示すタイミングで画像形成を行う。すなわち、駆動開始（メインモータＯＮ）とともに除電器７を動作させ、所定時間後、帯電器２を動作させる。次に、用紙先端検知手段８が用紙の先端を検知すると、所定のタイミングで現像ローラ４１への現像バイアス、および転写ローラ５への転写バイアスを順次動作させる。この時、現像バイアスと転写バイアスは用紙先端部から動作を開始するようにしている。したがって、現像バイアスの駆動タイミングは、像担持体１の線速と、転写位置と現像位置の位置関係から決められる。本実施例では、像担持体１の現像位置から転写位置までに到達する時間、すなわち現像器１で像担持体１に初めて現像した領域となる用紙先端に対応する領域が転写位置に達するまでの時間である２６０ｍｓｅｃ溯った時点で動作開始するようにしている。
【００１８】
一方、本発明は、除電器７の異常検知を行うテストパターン印字を行う時は、図３の破線で示すタイミングで画像形成を行うことを特徴とする。すなわち、用紙の先端が転写位置に達する時点から像担持体１上の帯電器２に対応する位置が転写位置に到達するまでの時間分を溯った時点を基点とし、基点以降に帯電器２の動作を所定時間停止して印字処理を行うことを特徴とする。本実施例では、用紙先端が転写位置に達する時点より５００ｍｓｅｃ溯った点Ａが基点であり、それ以降の任意時間から帯電器２を停止し、基点Ａから像担持体１が一周する点Ｂまでの間に帯電器２を再度ＯＮする。本実施例では、点Ｂまでに帯電器２の停止を復帰させるようにした。これは、転写メモリによる黒帯の乱れを避けるため、すなわち像担持体１が転写ローラ５の履歴を避けるためである。
【００１９】
このテストパターン印字時、除電器７が正常に動作していれば、帯電以前のドラム表面電位は略０Ｖなので、帯電器２による帯電を停止している間は光学伝送機構３により露光されたのと同様の状態となり、黒帯を現像することになる。
【００２０】
一方、除電器７が正常に動作していなければ、帯電以前の像担持体１の表面電位を除電できないため、帯電器２を停止している間は光学伝送機構３により露光されていないのと同様の状態となり、黒帯を現像することはできない。
【００２１】
これより、テストパターンを印字して黒帯がある場合は除電器７が正常に動作していることを示し、そうでない場合は除電器７が正常に動作していないと判断できるようになる。
【００２２】
【発明の効果】
以上説明から明らかなように本発明によれば、用紙の先端が転写位置に達する時点から像担持体上の前記帯電手段に対応する位置が前記転写位置に到達するまでの時間分を溯った時点を基点とし、基点以降に帯電手段の動作を所定時間停止して印字処理を行うことにより、除電手段の断線検知を行うのに特別な回路を設ける必要がない画像形成装置となる。
【図面の簡単な説明】
【図１】本発明の画像形成装置を示す図である。
【図２】本発明の制御回路内を示す構成ブロック図である。
【図３】本発明の画像形成装置の各手段における動作タイミングを示すものである。
【符号の説明】
１：像担持体
２：帯電器
３：光学伝送機構
４：現像器
５：転写ローラ
６：クリーニング器
７：除電器
８：用紙先端検知手段
９：レジストローラ
１０：コントローラ
１１：エンジン制御装置
１２：駆動・給紙手段
１４：高圧発生手段
１５：画像形成手段
【図１】
2004133188.tif 000003
【図２】
2004133188.tif 000004
【図３】
2004133188.tif 000005